(57)【要約】【課題】取り付けが容易な照明装置を提供すること。【解決手段】実施形態に係る照明装置は、送電コイルと、受電コイルと、照明部とを具備する。送電コイルは、１次コイルである。受電コイルは、２次コイルである。照明部は、送電コイルから受電コイルへ供給される電力によって点灯する。【選択図】図１
2020167098.tif 000002
【特許請求の範囲】
【請求項１】
１次コイルである送電コイルと；
２次コイルである受電コイルと；
前記送電コイルから前記受電コイルへ供給される電力によって点灯する照明部と；
を具備する、照明装置。
【請求項２】
前記送電コイルは、
前記受電コイルと壁を挟んで設けられる、
請求項１に記載の照明装置。
【請求項３】
前記照明部を浮遊させる磁気ユニット；
をさらに具備する、
請求項１または２に記載の照明装置。
【発明の詳細な説明】
【技術分野】
【０００１】
本発明は、照明装置に関する。
【背景技術】
【０００２】
従来、例えば、店舗や住宅に設置される照明装置がある。この種の照明装置においては、引っ掛けシーリングなどのコネクタを介して供給される電力によって動作するのが一般的である。
【先行技術文献】
【特許文献】
【０００３】
【特許文献１】特開２０１６−７２１２５号公報
【発明の概要】
【発明が解決しようとする課題】
【０００４】
しかしながら、従来技術では、照明装置の取り付けを容易にする点において改善の余地があった。
【０００５】
本発明が解決しようとする課題は、取り付けが容易な照明装置を提供することである。
【課題を解決するための手段】
【０００６】
実施形態に係る照明装置は、送電コイルと、受電コイルと、照明部とを具備する。送電コイルは、１次コイルである。受電コイルは、２次コイルである。照明部は、前記送電コイルから前記給電コイルへ供給される電力によって点灯する。
【発明の効果】
【０００７】
本発明によれば、取り付けが容易な照明装置を提供することができる。
【図面の簡単な説明】
【０００８】
【図１】図１は、実施形態に係る照明装置のブロック図である。
【図２】図２は、変形例に係る照明装置の外観の一例を示す図である。
【発明を実施するための形態】
【０００９】
以下で説明する実施形態に係る照明装置１、１Ａは、送電コイルＣ１と、受電コイルＣ２と、照明部５０とを具備する。送電コイルＣ１は、１次コイルである。受電コイルＣ２は、２次コイルである。照明部５０は、送電コイルＣ１から受電コイルＣ２へ供給される電力によって点灯する。
【００１０】
また、以下で説明する実施形態に係る照明装置１、１Ａにおいて、送電コイルＣ１は、受電コイルＣ２と壁Ｗを挟んで設けられる。
【００１１】
また、以下で説明する実施形態に係る照明装置１Ａは、照明部５０を浮遊させる磁気ユニットを具備する。
【００１２】
以下、図面を参照して、実施形態に係る照明装置について説明する。実施形態において同一の部位には同一の符号を付し、重複する説明は省略する場合がある。
【００１３】
＜実施形態＞
まず、図１を用いて実施形態に係る照明装置１について説明する。図１は、照明装置１のブロック図である。図１に示すように、照明装置１は、送電コイルＣ１と、受電ユニット２０とを備える。また、受電ユニット２０は、受電コイルＣ２と、照明部５０とを備える。
【００１４】
送電コイルＣ１は、１次コイルであり、受電コイルＣ２は、２次コイルである。また、送電コイルＣ１および受電コイルＣ２は、例えば、銅製のコイルである。照明部５０は、例えば、ＬＥＤ光源であるが、蛍光灯や白熱灯などのその他の光源であってもよい。
【００１５】
ここで、照明装置１は、非接触給電が可能な照明装置である。具体的には、送電コイルＣ１へ商用電源Ｐから電源ボックス１０を介して高周波の電流が流れると、送電コイルＣ１および受電コイルＣ２間で磁界が発生し、かかる磁界によって受電コイルＣ２側で起電力が発生する。そして、照明部５０は、受電コイルＣ２で発生した起電力によって点灯する。
【００１６】
なお、ユーザは、図示しないリモコンや壁スイッチ等を用いて、照明部５０のオン／オフや、調光を制御することが可能である。
【００１７】
ところで、一般的に、照明装置を設置する場合、引っ掛けシーリングなどのコネクタを天井に設置する必要がある。このため、例えば、照明装置のレイアウト変更を行う場合、コネクタの位置を変更する工事が必要となる。
【００１８】
これに対して、実施形態に係る照明装置１は、非接触給電が可能であるため、照明装置１の取り付けに際して、上記のコネクタは不要となる。すなわち、作業者は、照明装置１の取り付けに際して、送電コイルＣ１と、受電コイルＣ２との位置合わせのみを行うだけでよい。これにより、実施形態に係る照明装置１にでは、取り付け作業が容易となる。
【００１９】
また、仮に、照明装置１のレイアウトを変更しようとした場合、送電コイルＣ１および受電コイルＣ２の双方を所望する位置へ移動させればよい。したがって、実施形態に係る照明装置１においては、設置位置のレイアウト変更を容易に行うことが可能となる。
【００２０】
また、送電コイルＣ１と受電コイルＣ２とは、壁Ｗを隔てて設置される。すなわち、送電コイルＣ１は、例えば、天井裏などの室内（照明部５０側）から見えない場所に設置される。これにより、送電コイルＣ１などの不要な部品を隠して配置することができるので、照明装置１の見栄えを向上させることができる。
【００２１】
また、実施形態に係る照明装置１では、電源回路などを送電コイルＣ１側に設置することができるので、受電ユニット２０側に整流素子など少ない部品を配置すればよい。したがって、受電ユニット２０の小型化ならびに軽量化を図ることができる。
【００２２】
また、例えば、受電ユニット２０を一つの筐体内に設置する場合、かかる筐体を密閉することにより、受電コイルＣ２および照明部５０の絶縁性を容易に確保することができる。これにより、例えば、受電ユニット２０を水中などの絶縁性の制約が厳しい場所へも設置することが可能となる。
【００２３】
次に、図２を用いて変形例に係る照明装置１Ａについて説明する。図２は、変形例に係る照明装置１Ａの外観の一例を示す図である。なお、図２では、商用電源Ｐや電源ボックス１０を省略して示す。
【００２４】
図２に示すように、照明装置１Ａは、土台１００の内部に送電コイルＣ１が設けられる。また、土台１００および受電ユニット２０は、マグネットＭ１およびマグネットＭ２をそれぞれ備える。マグネットＭ１およびマグネットＭ２は、例えば、電磁石であり、通電すると磁界が発生し、互いに反発する反発力が発生する。なお、マグネットＭ１およびマグネットＭ２は、磁気ユニットの一例である。
【００２５】
これにより、照明装置１Ａでは、受電ユニット２０を土台１００上に浮遊させることができる。すなわち、照明装置１Ａでは、非接触給電を行うことで、受電ユニット２０が土台１００上を浮遊した状態で半永久的に照明部５０を点灯させることが可能となる。
【００２６】
なお、例えば、照明装置１Ａにおいて、受電ユニット２０を回転させることで受電ユニット２０の空中での姿勢を安定化させることにしてもよい。また、ここでは、マグネットＭ１およびマグネットＭ２を含む磁気ユニットによって受電ユニット２０を浮遊させる場合について説明したが、これに限られず、土台１００からエアーを送風することで受電ユニット２０を浮遊させるなどその他の手法を用いて受電ユニット２０を浮遊させることにしてもよい。
【００２７】
上述したように、実施形態に係る照明装置１は、送電コイルＣ１と、受電コイルＣ２と、照明部５０とを具備する。送電コイルＣ１は、１次コイルである。受電コイルＣ２は、２次コイルである。照明部５０は、送電コイルＣ１から受電コイルＣ２へ供給される電力によって点灯する。したがって、実施形態に係る照明装置１によれば、引っ掛けシーリングなどの取付時の制約を緩和することができるので、取り付けを容易にすることができる。
【００２８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２９】
１、１Ａ    照明装置
１０    電源ボックス
２０    受電ユニット
５０    照明部
１００    土台
Ｃ１    送電コイル
Ｃ２    受電コイル
Ｍ１、Ｍ２    マグネット（磁気ユニットの一例）
Ｗ    壁
【図１】
2020167098.tif 000003
【図２】
2020167098.tif 000004